Podtech/llm-jp-corpus-v4-ja_patent huggingface dataset:
(57)【要約】      （修正有）【課題】上下歯の裏側や上下歯茎の裏側や上下奥歯の裏側や上下歯肉を斑なくブラッシング衛生的にクリーニングが可能な球体歯ブラシを提供する。【解決手段】歯ブラシのブラシ部位の形状が球体である。一方の球体ブラシ部位の硬質コア部位と、他方の球体ブラシ部位の硬質コア部位は、フレキシブル微硬質ウレタン棒８で連結されている。歯ブラシ把手棒１の先端部位は雌螺子構造で、歯ブラシ連結棒３の先端は球体ブラシ部位で、連結棒の末端部位は雄螺子構造の、螺子式着脱構造とする。【選択図】図１
0003219740.tif 000002
【実用新案登録請求の範囲】
【請求項１】
歯ブラシの形状は球体です。
【請求項２】
球体歯ブラシのコアと球体歯ブラシのコアはフレキシブル微硬質ウレタン連結棒で連結固定します。
【請求項３】
球体歯ブラシのスペア交換は螺子式で着脱します。
【考案の詳細な説明】
【技術分野】
【０００１】  本考案は歯ブラシの形状ファンクション構造に係わる。
【背景技術】
【０００２】  従来既存の歯ブラシの形状は長方形や楕円形です。しかし従来既存の歯ブラシでは上下歯の裏側や上下歯茎の裏側や上下奥歯の裏側を斑なくブラッシング清掃は困難です。
【考案の概要】
【考案が解決しようとする課題】
【０００３】  上下歯の裏側や上下歯茎の裏側や上下奥歯の裏側や上下歯肉を斑なくブラッシング清掃が可能な歯ブラシが希求される。
【課題を解決するための手段】
【０００４】  歯ブラシ部位の形状は球体です。球体歯ブラシのブラシ植毛の土台は軟質フレキシブルな球体ウレタンスポンジで、その軟質フレキシブルな球体ウレタンスポンジの表面は硬質ウレタンです。その硬質ウレタンの表面に歯ブラシのブラシを植毛します。螺子式連結棒で球体歯ブラシのコア硬質ウレタンを連結固定します。球体歯ブラシのコアと球体歯ブラシのコアの連結部位はフレキシブル微硬質のウレタン連結棒で連結固定して球体歯ブラシは完成します。
【考案の効果】
【０００５】  球体歯ブラシのコアと球体歯ブラシのコアの連結部位はフレキシブル微硬質のウレタン棒で上下左右３６０°自在に上下歯の表裏や上下歯茎の表裏や上下奥歯の表裏や上下歯肉にフィットして斑のないブラッシング効果で衛生的なクリ‐ニングが可能です。球体歯ブラシのコアと球体歯ブラシのコアをフレキシブル微硬質ウレタン連結棒で連結したＶ字型部位凹ファンクション構造と、その両サイド部位凸ファンクション構造で上下表裏の歯と歯の隙間や上下表裏歯と歯茎の付け根にフィットして斑のないブラッシング効果で衛生的なクリ‐ニングが可能です。斑のないブラッシング効果で虫歯や怖い歯周病や、その他の口内病を予防して衛生的な口内環境を整備キ‐プします。
【図面の簡単な説明】
【０００６】
【図１】球体歯ブラシ全体の左右側面図
【図２】球体歯ブラシのブラシ植毛部位３層断面図
【図３】把手棒と把手棒３６０°表面に設けたＶ字型滑り止め部位の底面図
【符号の説明】
【０００７】  １・・把手棒部位側面図
２・・把手棒３６０°表面に設けたＶ字型滑り止め部位側面図
３・・符号の説明１・・把手棒と符号の説明８・・フレキシブル微硬質ウレタン連結棒        を球体歯ブラシのコア内で連結固定する螺子式連結棒部位側面図
４・・符号の説明１・・把手棒と符号の説明３・・螺子式連結棒の回転着脱ジョイント        孔部位側面図
５・・螺子式連結棒の回転着脱Ｖ字型の回転滑り止め部位側面図
６・・球体歯ブラシ植毛の表面と土台とコア３層球体部位側面図
７・・球体歯ブラシ植毛部位側面図
８・・球体歯ブラシのコアと球体歯ブラシのコアをフレキシブル微硬質ウレタン連結棒        で連結固定部位側面図
９・・符号の説明３・・螺子式連結棒と符号の説明８・・フレキシブル微硬質ウレタン        連結棒が球体歯ブラシのコア硬質ウレタン球体内で連結固定部位側面図
１０・・符号の説明８・・フレキシブル微硬質ウレタン連結棒と球体歯ブラシのコア硬質        ウレタン球体が連結固定部位側面図
１１・・球体歯ブラシ植毛部位断面図
１２・・球体歯ブラシの軟質ウレタンスポンジ土台の球体部位断面図
１３・・球体歯ブラシ植毛の軟質ウレタンスポンジ土台表面の硬質ウレタン球体部位断面        図
１４・・球体歯ブラシのコア硬質ウレタン球体部位断面図
１５・・符号の説明１・・把手棒部位底面図
１６・・符号の説明２・・把手棒３６０°表面に設けたＶ字型滑り止め部位底面図
【図１】
0003219740.tif 000003
【図２】
0003219740.tif 000004
【図３】
0003219740.tif 000005
【手続補正書】
【提出日】平成30年8月30日(2018.8.30)
【手続補正１】
【補正対象書類名】実用新案登録請求の範囲
【補正対象項目名】全文
【補正方法】変更
【補正の内容】
【実用新案登録請求の範囲】
【請求項１】
歯ブラシのブラシ部位の形状が球体であることを特徴とする球体歯ブラシです。
【請求項２】
球体ブラシ部位の硬質コア部位と球体ブラシ部位の硬質コア部位の連結はフレキシブル微硬質ウレタン棒で連結することを特徴とする請求項１記載の球体歯ブラシです。
【請求項３】
歯ブラシ把手棒の先端部位は雌螺子構造で、歯ブラシ連結棒の先端は球体ブラシ部位で、連結棒の末端部位は雄螺子構造の、螺子式着脱構造を特徴とする請求項１記載の球体歯ブラシです。
【手続補正書】
【提出日】平成30年10月25日(2018.10.25)
【手続補正１】
【補正対象書類名】実用新案登録請求の範囲
【補正対象項目名】全文
【補正方法】変更
【補正の内容】
【実用新案登録請求の範囲】
【請求項１】
歯ブラシのブラシ部位の形状が球体であることを特徴とする球体歯ブラシ。
【請求項２】
一方の球体ブラシ部位の硬質コア部位と、他方の球体ブラシ部位の硬質コア部位は、フレキシブル微硬質ウレタン棒で連結されていることを特徴とする請求項１記載の球体歯ブラシ。
【請求項３】
歯ブラシ把手棒の先端部位は雌螺子構造で、歯ブラシ連結棒の先端は球体ブラシ部位で、連結棒の末端部位は雄螺子構造の、螺子式着脱構造を特徴とする請求項１記載の球体歯ブラシ。
(57)【要約】【課題】  簡単な構造でコストや維持費がかからずに、浴槽本体内から浴水が溢れだすことを防止する溢れ防止浴槽の提供。【解決手段】入浴に十分な入浴空間１ａを有する浴槽本体１の上端周縁部から上部に延長する枠壁２を形成し、該枠壁２の長手方向に対向する両壁内面側には、入浴空間１ａの上縁部を超えた浴水を一時的に貯める貯湯空間３を備え、枠壁２の上端縁部には、貯湯空間３の上面を塞ぐ開閉自在な蓋体４を備える。【選択図】      図３
0003219725.tif 000002
【実用新案登録請求の範囲】
【請求項１】
入浴に十分な入浴空間を有する浴槽本体の上端周縁部から上部に延長する枠壁を形成し、該枠壁の少なくとも一側壁内面側には、入浴空間の上縁部を超えた浴水を一時的に貯める貯湯空間を備えることを特徴とする溢れ防止浴槽。
【請求項２】
請求項１記載の溢れ防止浴槽において、前記枠壁の上端縁部には、貯湯空間の上面を塞ぐ開閉自在な蓋体を備えることを特徴とする溢れ防止浴槽。
【考案の詳細な説明】
【技術分野】
【０００１】
本考案は、体積の大きい入浴者が浴槽に入ることで、浴槽内より浴水が大量に溢れだすことを防止する溢れ防止浴槽に関する。
【背景技術】
【０００２】
従来の溢れ防止浴槽としては、特許文献１に記載のものがある。
この従来例は、浴槽より溢れ出る浴水を一旦浴槽外の補助タンクに収容し、この収容された浴水を循環手段（ポンプ）により循環流路を介して浴槽内に循環させるようにしたものであった。
【先行技術文献】
【特許文献】
【０００３】
【特許文献１】特開平９−２５２９７９
【考案の概要】
【考案が解決しようとする課題】
【０００４】
しかしながら、従来例の浴槽は、浴槽以外に補助タンク、循環流路、及び循環手段（ポンプ）を備える必要があり、製造コストの他に、電気代、保守費等の維持費が高く付くという問題があった。
【０００５】
本考案の解決しようとする課題は、簡単な構造でコストや維持費がかからずに、浴槽本体内から浴水が溢れだすことを防止する溢れ防止浴槽を提供することにある。
【課題を解決するための手段】
【０００６】
上記課題を解決するため請求項１記載の溢れ防止浴槽は、入浴に十分な入浴空間を有する浴槽本体の上端周縁部から上部に延長する枠壁を形成し、該枠壁の少なくとも一側壁内面側には、入浴空間の上縁部を超えた浴水を一時的に貯める貯湯空間を備えることを特徴とする手段とした。
【０００７】
請求項２記載の溢れ防止浴槽は、請求項１記載の溢れ防止浴槽において、前記枠壁の上端縁部には、貯湯空間の上面を塞ぐ開閉自在な蓋体を備えることを特徴とする手段とした。
【考案の効果】
【０００８】
請求項１記載の溢れ防止浴槽では、上述のように、入浴空間の上端周縁部を超えた浴水を一時的に貯める貯湯空間を備えることで、体積の大きい入浴者が浴槽本体に入って入浴空間の上端縁部から浴水が溢れても、この溢れた浴水は一旦貯湯空間に流れ込み、体積の大きい入浴者が入浴空間から外に出ると、貯湯空間に一時的に溜まった浴水は再び入浴空間内に戻るため、入浴空間内の浴水が減ることがない。
また、浴槽の構造が簡単であるため、余分なコストや維持費がかからずに、浴槽本体１内から浴水が外に溢れだすことを防止することができるという効果が得られる。
【０００９】
また、請求項２記載の溢れ防止浴槽では、上述のように、枠壁の上端縁部には、貯湯空間の上面を塞ぐ開閉自在な蓋体を備えることで、貯湯空間の上面に蓋体を被せることで、浴槽内のお湯が冷えるのを防止することができ、また、蓋体を取り外すことで、貯湯空間内の掃除がやり易くなる。
【図面の簡単な説明】
【００１０】
【図１】実施例１の溢れ防止浴槽を示す平面図である。
【図２】実施例１の溢れ防止浴槽を示す正面図である
【図３】図１のＢ−Ｂ線における縦断正面図である。
【図４】図２のＣ−Ｃ線における縦断側面図である。
【図５】図２のＤ−Ｄ線における縦断側面図である。
【考案を実施するための形態】
【００１１】
以下にこの考案の実施例を図面に基づいて説明する。
【実施例１】
【００１２】
まず、この実施例１の溢れ防止浴槽を図面に基づいて説明する。
この溢れ防止浴槽Ａは、図１〜５に示すように、浴槽本体１と、枠体２と、貯湯空間３と、蓋体４とで構成されている。
【００１３】
さらに詳述すると、前記浴槽本体１は、平面視略長方形で、入浴に十分な入浴空間１ａを有している。
前記枠体２は、浴槽本体１の上端周縁部から上部に延長する状態で設けられ、その長手方向に対向する両内壁面側には、入浴空間１ａの上端縁部を超えた浴水を一時的に貯める貯湯空間３が外側に向けて突出形成されている。
【００１４】
また、枠壁２の上端縁部には、貯湯空間３の上面を塞ぐ開閉自在な蓋体４を備えている。
【００１５】
次に、この実施例１の作用・効果を説明する。
【００１６】
この実施例１の溢れ防止浴槽Ａでは、上述のように、入浴空間１ａの上端周縁部を超えた浴水を一時的に貯める貯湯空間３を備えることで、体積の大きい入浴者が浴槽本体１に入って入浴空間１ａの上端縁部から浴水が溢れても、この溢れた浴水は一旦貯湯空間３に流れ込み、体積の大きい入浴者が入浴空間１ａから外に出ると、貯湯空間３に一時的に溜まった浴水は再び入浴空間１ａ内に戻るため、入浴空間１ａ内の浴水が減ることがない。
また、浴槽の構造が簡単であるため、余分なコストや維持費がかからずに、浴槽本体１内から浴水が外に溢れだすことを防止することができるという効果が得られる。
【００１７】
また、枠壁２の上端縁部には、貯湯空間３の上面を塞ぐ開閉自在な蓋体４を備えることで、貯湯空間３の上面に蓋体３を被せることで、浴槽内のお湯が冷えるのを防止することができ、また、蓋体４を取り外すことで、貯湯空間３内の掃除がやり易くなる。
【００１８】
以上本実施例を説明してきたが、本考案は上述の実施例に限られるものではなく、本考案の要旨を逸脱しない範囲の設計変更等があっても、本考案に含まれる。
【００１９】
例えば、実施例では、枠壁２の上端縁部に貯湯空間３の上面を塞ぐ開閉自在な蓋体４を備えたが、蓋体は枠壁２と一体に形成してもよい。
【００２０】
また、実施例では、枠壁２の長手方向に対向する両壁内面側に貯湯空間３、３を形成したが、その個数は任意であり、１か所又は２か所以上でもよい。
【符号の説明】
【００２１】
Ａ  溢れ防止浴槽
１  浴槽本体
１ａ  入浴空間
２  枠体
３  貯湯空間
４  蓋体
【図１】
0003219725.tif 000003
【図２】
0003219725.tif 000004
【図３】
0003219725.tif 000005
【図４】
0003219725.tif 000006
【図５】
0003219725.tif 000007
(57)【要約】【課題】刃部（湾曲受刃１及び膨出動刃２）と柄部３，４を備えた一対の挟圧体の中間部分を交差枢結し、刃部を湾曲受刃と膨出動刃による剪断構造として樹木の枝や草木の茎を切断する剪定鋏において、切断に際して樹液等が滲み出て刃部（湾曲受刃１及び膨出動刃２）に付着し、付着量が多くなる剪断操作の抵抗を増加させ、且つ摺動面の密着を緩めることになって切れ味を低下させてしまうので、膨出動刃に樹液排出機能を備える剪定鋏を提供する。【解決手段】膨出動刃２の裏面における剪断機能を発揮する摺動面（弧状摺動面２１）以外の箇所に、摺動面２１との間に段差２３を介し、且つ刃峰部に至る凹部（凹部面２４）を設けてなる。【選択図】図３
0003219728.tif 000002
【実用新案登録請求の範囲】
【請求項１】
刃部と柄部を備えた一対の挟圧体の中間部分を交差枢結し、刃部を湾曲受刃と膨出動刃による剪断構造とした剪定鋏において、膨出動刃の裏面における剪断機能を発揮する摺動面以外適宜箇所に、摺動面との間に段差を介し、且つ刃峰部に至る凹部を設けてなることを特徴とする剪定鋏。
【請求項２】
膨出動刃の裏面を、湾曲受刃と対応する形状の弧状摺動面と、前記弧状摺動面と段差を介した凹部面としてなる請求項１記載の剪定鋏。
【考案の詳細な説明】
【技術分野】
【０００１】
本考案は、枝や茎を切断するのに使用する剪定鋏に関するものである。
【背景技術】
【０００２】
剪定鋏は通常の鋏と同様に刃部及び柄部を備えた挟圧体の中間部分を交差させ、交差部分を枢結してなるものである。特に剪定鋏は樹木の枝や草木の茎を切断するのに多用されるので、一方の刃部が切断対象の枝や茎受けとなる湾曲受刃で、他方の刃部が膨出動刃となっているものである（特許文献１，２）。
【先行技術文献】
【特許文献】
【０００３】
【特許文献１】特開２００２−９５８７５号公報。
【特許文献２】意匠登録１００１８２３号公報。
【考案の概要】
【考案が解決しようとする課題】
【０００４】
剪定鋏は、樹木の枝や草木の茎が切断対象となり、切断に際して樹液等が滲み出て両刃部に付着し、付着した樹液等の一部は刃部裏面に流れて摺動面に固着する。特に従前の剪定鋏は動刃の裏面が剪断機能を発揮する摺動面を含め全体が平滑面であるから、動刃裏面全体に樹液等が塗布状態となり、固着する。
【０００５】
特に樹液の付着量が多くなると枝等の剪定に際しては、摺動面（裏面の対向面）に存在する樹液の固着量（塗布厚さ）が多くなり、剪断操作の抵抗を増加させ、且つ摺動面の密着を緩めることになって切れ味を低下させてしまう。
【０００６】
そこで本考案は、膨出動刃に樹液排出機能を備えた剪定鋏を提案したものである。
【課題を解決するための手段】
【０００７】
本考案の請求項１記載に係る剪定鋏は、刃部と柄部を備えた一対の挟圧体の中間部分を交差枢結し、刃部を湾曲受刃と膨出動刃による剪断構造とした剪定鋏において、膨出動刃の裏面における剪断機能を発揮する摺動面以外適宜箇所に、摺動面との間に段差を介し、且つ刃峰部に至る凹部を設けてなることを特徴とするものである。
【０００８】
而して従前の剪定鋏と同様に柄部の握持開閉操作で樹木の枝等から滲み出る樹液が刃部（湾曲受刃及び膨出動刃）の摺動面に付着しても、湾曲受刃で凹部に送り出すと、凹部が樹液溜まりとなり、且つ段差によって摺動面に戻ること無く、刃峰部側から自然に刃部から排出され、摺動面や刃先縁に樹液が徐々に溜まることが防止される。
【０００９】
また本考案の請求項２記載にかかる剪定鋏は、膨出動刃の裏面を、湾曲受刃と対応する形状の弧状摺動面と、前記弧状摺動面と段差を介した凹部面としてなるもので、樹液溜まりの形成面積を広くし、弧状摺動面から押し出された樹液等の摺動面への流れ出し（戻り）阻止が効果的になされる。
【考案の効果】
【００１０】
本考案は上記のとおり剪定鋏の膨出動刃の裏面の所定箇所に凹部を設けて、枝切断時に生ずる樹液等が切断摺動面に戻って滞留することなく排出するもので樹液等の付着による切れ味低下を防止したものである。
【図面の簡単な説明】
【００１１】
【図１】本考案の実施形態の剪定鋏の正面図（刃部を閉じた状態）。
【図２】同図（刃部を開いた状態）。
【図３】同刃部の裏面側の説明図。
【図４】同Ａ−Ａ線切断端面図
【考案を実施するための形態】
【００１２】
次に本考案の実施形態について説明する。実施形態に示した剪定鋏は、基本的に従前と同様に刃部（湾曲受刃１と膨出動刃２）と、柄部３，４を備えた一対の挟圧体の中間部分を、交差し枢結軸５で枢結して開閉自体としたもので、柄部３，４の握持開閉操作で、所定の切断作業を行うものである。
【００１３】
また切断作業を容易にするように柄部３，４間に、柄部開口付勢する発条６を介装し、柄部３，４の端部間に、一端を柄部３に回動可能に軸支し、他端に鉤部を設けて柄部４に係止して開口を阻止するロック７を設けてなる。
【００１４】
特に本考案の剪定鋏は膨出動刃２の裏面に、湾曲受刃１の形状に対応する弧状摺動面（剪断機能を発揮する面）２１と当該弧状摺動面から峰部２２に至る範囲を、段差２３を介した液溜まり凹部面２４に形成したものである。
【００１５】
而して前記剪定鋏は従前の工具同様に使用するもので、枝切断に際して樹木から滲み出た樹液は、刃部（湾曲受刃１と膨出動刃２）に付着するが、切断機能を発揮するための摺動面２１においては、湾曲受刃１によって摺動面２１上の樹液は液溜まり凹部面２４に押し出される。
【００１６】
液溜まり凹部面２４に留まった樹液は、段差２３によって摺動面２１に戻ることが阻止されるので、摺動面２１に樹液が付着して固まる量が増加することなく、切れ味の低下を防止できる。
【００１７】
また本考案は前記の実施形態に限定されるものではなく、膨出動刃２の裏面において、剪断機能を発揮するに十分な摺動面２１を備え、当該裏面に摺動面２１に樹液の逆流を阻止する凹部を設ければ良いので、凹部の形状は任意に定められるものである。
【符号の説明】
【００１８】
１      湾曲受刃
２      膨出動刃
２１    弧状摺動面
２２    峰部
２３    段差
２４    凹部面
３，４    柄部
５      枢結軸
６      発条
７      ロック
【図１】
0003219728.tif 000003
【図２】
0003219728.tif 000004
【図３】
0003219728.tif 000005
【図４】
0003219728.tif 000006
(57)【要約】      （修正有）【課題】ブラシの途中に角度を変えられるネックを設け、歯及び水廻りの見えにくい箇所の汚れを取り除くことができる歯及び水廻り用ブラシを提供する。【解決手段】歯または水廻りの見えにくい箇所の汚れを取り除くことができるブラシであって、柄１と、柄１の先端に設けられるブラシ２とを備え、ブラシ２の途中には、角度が変えられるネック３が設けられている。【選択図】図２
0003219741.tif 000002
【実用新案登録請求の範囲】
【請求項１】
柄の先端のブラシの途中にあるネックの角度を変えて、歯及び水廻りの見えにくい箇所の汚れを取り除くことができるブラシ。
【考案の詳細な説明】
【技術分野】
【０００１】  本考案は、ブラシの途中の角度を変え、歯及び水廻りの見えにくい箇所の汚れを取り除くことができるブラシに関するものである。
【背景技術】
【０００２】  従来、歯及び水廻りの見えにくい箇所にある汚れを取り除く場合、ブラシの角度が変えられないため、ブラシが汚れた箇所に届かなかった。
【先行技術文献】
【特許文献】
【０００３】
【特許文献１】
【非特許文献】
【０００４】
【非特許文献１】
【考案の概要】
【考案が解決しようとする課題】
【０００５】    従来、歯及び水廻りの見えにくい箇所にある汚れを取り除く場合、ブラシの角度が変えられないため、ブラシが汚れた箇所に届かず、十分に汚れを取り除くことができないという欠点があった。
本考案は、以上の欠点を解決しようとするものである。
【課題を解決するための手段】
【０００６】  本考案は、柄の先端のブラシの途中にある角度が変えられるネックを設けて、歯及び水廻りの見えにくい箇所にある汚れを取り除きにくいという問題点を解決している。
【考案の効果】
【０００７】  上述のとおり、ブラシの途中の角度が変えられるため、歯及び水廻りの見えにくい箇所にある汚れを取り除く器具として役立つ。
【図面の簡単な説明】
【０００８】
【図１】  本考案の平面図である。
【図２】  本考案の側面図である。
【考案を実施するための形態】
【０００９】  ブラシの角度を変えることができるよう、ブラシの途中にある角度が変えられるネックを設けたため、歯及び水廻りの見えにくい箇所の汚れを取り除くことができる。
【実施例】
【００１０】  以下、別添付図面に従って実施例を説明する。
１の柄の先端の２のブラシの途中にある３のネックの角度を変え、歯及び水廻りの見えにくい箇所の汚れを取り除く。
【符号の説明】
【００１１】１  柄
２  ブラシ
３  ネック
【図１】
0003219741.tif 000003
【図２】
0003219741.tif 000004
【手続補正書】
【提出日】平成30年9月10日(2018.9.10)
【手続補正１】
【補正対象書類名】実用新案登録請求の範囲
【補正対象項目名】全文
【補正方法】変更
【補正の内容】
【実用新案登録請求の範囲】
【請求項１】
歯又は水廻りの見えにくい箇所の汚れを取り除くことができるブラシであって、添付図面のとおり、柄（１）と、その柄（１）の先端に設けられるブラシ（２）とを備え、そのブラシ（２）の途中には、角度が変えられるネック（３）が設けられていることを特徴とするブラシ。
【手続補正書】
【提出日】平成30年10月25日(2018.10.25)
【手続補正１】
【補正対象書類名】実用新案登録請求の範囲
【補正対象項目名】全文
【補正方法】変更
【補正の内容】
【実用新案登録請求の範囲】
【請求項１】
歯または水廻りの見えにくい箇所の汚れを取り除くことができるブラシであって、柄（１）と、前記柄（１）の先端に設けられるブラシ（２）とを備え、前記ブラシ（２）の途中には、角度が変えられるネック（３）が設けられていることを特徴とするブラシ。
(57)【要約】      （修正有）【課題】市販のボーリングゲームと異なりゲームの遊戯性を一段と高めることができるボーリングボード玩具を提供する。【解決手段】ボールにおもりを埋め込み、傾斜した凹型面ボード板の上に、ボールを弾くレーバーを有した打球マシンを据えて、レバーの引く強弱加減によりボールの走行速度を調節する。ボールの回転を増し、ボールを左右に湾曲走行、並びにボール走行速度を調整して、ボールとボトル（ピン）が衝突した時に、ボトルをより拡散させ倒すことができる。【選択図】図１
0003219743.tif 000002
【実用新案登録請求の範囲】
【請求項１】
当ボーリングゲームはボールを自由にコントロール（速度並びに左右に湾曲走行など）できるように、（１）ボールの走行速度を調節する打球マシン、（２）ボールを左右に屈曲させる凹型ボード板とマシン裏面に固定杭を設ける、（３）ボールに回転変化を与えるために重り入り球。これら３つの設備を具備したボーリングゲームです。これらの設備を有するボーリング玩具（ボードゲーム）を特許請求の範囲とする。請求範囲は３項目です。
【考案の詳細な説明】
【技術分野】
【０００１】  本考案は木製板や樹脂からなるボード玩具である
【背景技術】
【０００２】ボード面、ボールに細工を施し、ボールの走行に変化を持たせるように工夫した。
【考案の概要】
【考案が解決しようとする課題】
【０００３】平面版をボールが転がすのでは、球質の変化は生まれない。ボールの走行変化もなく、ゲームの娯楽性が劣る。ボールが不安定な走行となるように工夫して、従来のゲームと異なる遊戯性を高めることに成功した
【課題を解決するための手段】
【０００４】  ボールに回転を加えて、凹面ボード斜面を転がすゲームである。ボールの勢いとボールの加速の維持を得るために、凹面板、おもり入ボール、打球マシンなど装備を有する。また、ボードにはガーター溝を有する。また、ボトル散乱を防ぐために受装置を末尾に具備している。
【考案の効果】
【０００５】  打球マシンはマシンとボールとの間隔によりボールの走行速度が変化する。マシンレバーの引き方により、ボールの勢いも選択できる。おもり入ボールは回転に変化を生み、凹板の斜面転がすことでボールがカーブ、シュートの弓型走行をする。また、ボードにガーター溝、ボトル受ネットを設けボトルの飛散を防止した。それら装備をまとめてゲームの娯楽・利便性を確保した。
【図面の簡単な説明】
【０００６】
【図１】全体模式図：当ボードゲームの装備品と備品の設置位置を示す
【図２】凹型面ボード：滑降の床板です。枕木を敷き、その上にボードを乗せて傾斜を付ける。ボード床面は凹型曲面に削り、その上、ボールを転がす。ボードには穴や溝があり、マシン底部の固定杭を指し込み、マシンを固定させたり、溝中をスライドさせ、打球位置を定める。マシン先端にボールを置き、マシンの弾きレバーを放すとボールが転がる。また、ボード末尾にボトルとボールが散乱防止籠や、ボードの両サイドにガーター受け溝も備えてある。
【図３】おもり入りボール：球状の均一のボールに対して、ボールに鉛などを埋め込み、打球の重心を変化させ、ボールにカーブ、フックを起こさせる。
【図４】ボトル（ピン）：ボトル１０本を立て、そのボトルを倒すゲームである。その基本となるのが、ボードの末尾にプラスチック製のボトルを立てる
【図５】打球マシン：スプリングやゴムの弾性を活用して、ボールを弾くマシンです。ボードの穴や溝に固定杭を指し込み、マシンの方向を変えて、球の打点の位置や方向を移動させる。また、レバーの引く強弱加減で球速を調整する
【考案を実施するための形態】
【０００７】ボード板を傾斜させ、その上に、溝や穴に打球マシンの杭をはめて、マシンの先端にボールを置いて、打球マシンの引レバーを引き、ボールを弾く。そしてボードの斜面にボールを転がし、ボールをボトルに衝突させて、ボトルを倒し、倒れた本数により得点を競う。ボードの斜面上部から打球マシンでボールを弾き、ボード斜面にボールを転がすが、そのボール走行をコントロールできるのがダイゴミです。
【０００８】  ボールの滑降（走行）に変化をもたらすために、ボールにおもりを埋め、重心をずらすこと、ボードは凹面とする。打球するマシンはスピード調節を可能とした。それらをセットして、市販のゲームと異なる遊戯性を増した玩具である。
【符合の説明】
【０００９】  凹型面ボード（一枚の板を凹面に削り、曲面にボールを転がす）
おもり入りボール（球の重心をずらすために、球の中におもりを埋め込む）
ボトルピン（１０本）（プラスチック製のボトルピンです）
打球マシン（バネ、ゴム等に軸棒を内装し、引きレバーでバネなどを伸ばし軸棒をピス        トン状に動かす。その先端に置いたボールを弾き飛ばす）
【図１】
0003219743.tif 000003
【図２】
0003219743.tif 000004
【図３】
0003219743.tif 000005
【図４】
0003219743.tif 000006
【図５】
0003219743.tif 000007
【手続補正書】
【提出日】平成30年10月25日(2018.10.25)
【手続補正１】
【補正対象書類名】実用新案登録請求の範囲
【補正対象項目名】全文
【補正方法】変更
【補正の内容】
【実用新案登録請求の範囲】
【請求項１】
ボーリングボード玩具において、
（１）ボールを弾く引レバーを有する打球マシンであって、前記引レバーの引く強弱加減によりボールの走行速度を調節する打球マシンと、
（２）ボールを左右に湾曲走行させる凹型面ボード板と、
（３）球の重心からずれた位置におもりが埋め込まれたおもり入りボールと、
のを備え、
前記打球マシンの裏面には固定杭が設けられており、前記凹型面ボード板には、前記固定杭を差し込んで前記打球マシンを固定又はスライドさせるための穴又は／及び溝が形成されたことを特徴とするボーリングボード玩具。
(57)【要約】      （修正有）【課題】持ち運び時の嵩張りを解消でき、かつ、一般的な眼鏡と同様に使用することも可能な薄型老眼鏡を提供する。【解決手段】眼鏡のフロント部１の両端に、幅方向の長さよりも長さ方向の寸法が短い短寸智２を設けると共に、短寸智の突端に袋孔を設ける一方、テンプル３の根元部にはコマ部３１を設け、コマ部を袋孔に連結することにより、テンプルの折り畳み時の嵩張りを小さくした。【選択図】図１
0003219777.tif 000002
【実用新案登録請求の範囲】
【請求項１】
眼鏡のフロント部（１）の両端に、幅方向の長さよりも長さ方向の寸法が短い短寸智（２）・（２）を設けると共に、この短寸智（２）・（２）の突端に袋孔（21）を設ける一方、
テンプル（３）の根元部にはコマ部（31）を設け、このコマ部（31）を前記袋孔（21）に連結することにより、テンプル（３）・（３）の折り畳み時の嵩張りを小さくしたことを特徴とする薄型老眼鏡。
【考案の詳細な説明】
【技術分野】
【０００１】
本考案は、眼鏡を使用しない場合に、折り畳んだ眼鏡が嵩張らず、コンパクトに収納することが可能な薄型老眼鏡に関するものである。
【背景技術】
【０００２】
眼鏡の構造は、一般的にレンズや鼻当材を装着するフロントフレーム、前記フロントフレームに回動可能に取付けられるテンプルで構成されており、各部材は重量や耐久性、デザインを考慮して金属材料、合成樹脂材料、或いは、これらの部材を組合せて構成されている。
【０００３】
通常、眼鏡は近視や遠視等、視力を矯正するために使用するものであり、眼鏡を使用する者は、基本的に起床してから就寝するまでの間は眼鏡を常時装着して生活することになる。
【０００４】
さらに、高齢者は老化により目の調節機能が衰え、近くのものが見辛くなるため、視力矯正用の眼鏡に加えて、本や新聞を読むための老眼鏡や近接作業用のルーペ等を持ち歩いている。
【０００５】
上記構造の眼鏡は、視力矯正用途となっており、デザインや掛け心地は重要視されているものの、持ち運びが前提にないため、眼鏡を使用していない時の嵩張りについて考慮されていないという問題があった。
【０００６】
この問題を解決するため、従来一般のテンプルを使用せず、フロントフレームの両端に帯状部材を取付ける構造（特許文献１参照）や、鼻眼鏡型の老眼鏡構造（特許文献２参照）が知られており、嵩張りの問題は解決されたが、帯状部材による固定の手間や、鼻眼鏡の使い難さといった問題が生じた。
【先行技術文献】
【特許文献】
【０００７】
【特許文献１】特許第４９８６０８８号公報
【特許文献２】特開２０１７−１１６６１９号公報
【考案の開示】
【考案が解決しようとする課題】
【０００８】
本考案は、従来の老眼鏡構造に上記のような問題があったことに鑑みて為されたものであり、持ち運び時の嵩張りを解消でき、かつ、一般的な眼鏡と同様に使用することも可能な薄型老眼鏡を提供することにある。
【課題を解決するための手段】
【０００９】
本考案者が上記課題を解決するために採用した手段を添付図面を参照して説明すれば次のとおりである。
【００１０】
即ち、本考案は、眼鏡のフロント部１の両端に、幅方向の長さよりも長さ方向の寸法が短い短寸智２・２を設けると共に、この短寸智２・２の突端に袋孔21を設ける一方、
テンプル３の根元部にはコマ部31を設け、このコマ部31を前記袋孔21に連結することにより、テンプル３・３の折り畳み時の嵩張りを小さくした点に特徴がある。
【考案の効果】
【００１１】
本考案において、幅方向の長さよりも長さ方向の長さが短い短寸智２・２に設けた袋孔21に、テンプル３・３に形成したコマ部31を差込んで連結する構造とすることにより、テンプル３・３を折り畳んだ状態での嵩張りを小さくすることが可能となる。
【図面の簡単な説明】
【００１２】
【図１】本考案の実施例における薄型老眼鏡を表した斜視図である。
【図２】本考案の実施例における短寸智を表した斜視図である。
【図３】本考案の実施例におけるテンプルを表した斜視図である。
【考案を実施するための形態】
【００１３】
本考案を実施するための形態を、具体的に図示した図面に基づいて、更に詳細に説明すると、次のとおりである。
【００１４】
『実施例１』
本考案の実施例を図１に基づいて説明する。図中、符号１で指示するものはフロント部であって、合成樹脂材料から成形される一眼レンズであり、この一眼レンズ中央には鼻当材を設けると共に、両端には、幅方向の長さよりも長さ方向の長さが短い短寸智２・２を固定する（図１参照）。前記短寸智２・２には、袋孔21を備えており、袋孔21の上下には凹部を形成している（図２参照）。本実施例において、フロント部１にはアクリル樹脂、短寸智２・２にはポリカーボネート樹脂を使用した。
【００１５】
また、符号３で指示するものは、テンプルであり、このテンプル３・３の根元部には、先端を二股にし、上下に凸起を設けたコマ部31を形成した（図３参照）。本実施例において、テンプル３・３にはナイロン樹脂を使用した。
【００１６】
しかして、本実施例における薄型老眼鏡は、フロント部１に固定した短寸智２・２の袋孔21に、テンプル３・３の根元部に形成したコマ部31を差込んで取付けることにより、テンプル３・３を折り畳んだ際の嵩張りを小さくすることが可能となる。
【００１７】
『変形例』
本明細書と添付図に例示する本考案の実施例は、概ね上記のとおりであるが、本考案は、前述の実施例に限定されるものでは決してなく、「実用新案登録請求の範囲」の記載内において種々の変更が可能であることは言うまでもなく、例えば、次に挙げる変形例は本考案の技術的範囲に属する。
【００１８】
本実施例では、フロント部１を合成樹脂材料を用いて一眼レンズとしたが、短寸智２・２を固定可能であれば、どのような形態でもよく、例えば、レンズを備えたブローバーや通常の眼鏡のようにレンズを備えたリムであってもよい。
【００１９】
また、本実施例では、フロント部１にアクリル樹脂を使用する例を挙げたが、眼鏡に使用可能であれば、何れの樹脂を使用してもよく、例えば、ポリカーボネート樹脂を使用してもよい。
【００２０】
また、本実施例では、短寸智２・２にポリカーボネート樹脂を使用するとしたが、眼鏡に使用可能であれば、何れの樹脂を使用してもよく、例えば、アセテート樹脂を使用してもよい。
【００２１】
また、本実施例では、テンプル３・３にナイロン樹脂を使用するとしたが、コマ部31に適度な弾性を付与可能であれば、何れの樹脂を使用してもよく、例えば、ポリアミド樹脂を使用してもよい。
【符号の説明】
【００２２】
１  フロント部
２  短寸智
21  袋孔
３  テンプル
31  コマ部
【図１】
0003219777.tif 000003
【図２】
0003219777.tif 000004
【図３】
0003219777.tif 000005
(57)【要約】      （修正有）【課題】引出しが人の目線より高い場合にも、収容物が見やすく取出し容易な引出付収容器を提供する。【解決手段】引出収容器の引出しを手元に引き出す過程で下向に下げると引出奥板の上角が収容器の段板即ち引出天井面と干渉する。その引出側の干渉部分を削除した構造にすることにより下向きの引出傾斜角を得る。引出天井面にはストッパー７が設けられ、引出削除面と引出天井面、引出奥板内面がストッパーに当てられることによりストッパー効果を得る。構造は、必要且つ許容される三つの要素である、引出傾斜角α、ストッパー位置及び引出奥板高さの幾何学的関係寸法により決定される。【選択図】図２
0003219772.tif 000002
【実用新案登録請求の範囲】
【請求項１】
複数段で構成した引出しを有する引出付収容器において、該引出しは前面板、後面板、側面板で構成し、両側面板の奥側上面を後方に向けて傾斜状に切欠き切欠面を設け、切欠面と同一高さの後面板を設置して箱型の引出を構成すると共に前面側天井板にはストッパーを固設し引出を引き出した時、傾斜状に切欠いた側面板が天井部に当たり後面板がストッパーにて引出の抜けを阻止され引出しは前下方に傾斜保持できるようにしたことを特徴とする引出付収容器。
【考案の詳細な説明】
【技術分野】
【０００１】
文房具、小物部品あるいは衣類等引出しを用いた収容器の引出し形状に関する。
【背景技術】
【０００２】
机上の文房具入れ、作業上の小物入れ、あるいは衣類等を収容する引出しを用いた収容器は、その引出しを水平に引出し上から見て上下に取出し収容される。
【先行技術文献】
【特許文献】
【０００３】
【特許文献１】特開２０１１−１０４３１４号公報
【特許文献２】特開２０００−１９７５３０号公報
【考案の概要】
【考案が解決しようとする課題】
【０００４】
収容器の引出しが人の目線より上にある場合、その引出しに収容された物品が見難いために人は立って内容物を確認し出し入れする。この為、立ち座りすることで熱中している気分が変ったり、時間的な損失が生じる。
【課題を解決するための手段】
【０００５】
本考案は、従来の引出しを用いた収容器の引出しを、引出した際に引出しの手元側が下方向に下り、勾配が保持される構造とする。その際、引出しを引いて下げると引出奥板の上角が収容器と干渉するために、その干渉部分を削除して引出しの下げ勾配を得る。その為には、許容される引出しの下げ勾配と削除された後の引出後面板の高さにより収容器側の引出天井面に脱落防止用のストッパーが設けられて実現される。
【考案の効果】
【０００６】
従来の水平方向のみの引出しでは上から見て上に取出し、上から収容する。これに加えて横方向からも見えて横方向にも取出し収容出来る効果が得られる。このことにより人の無駄な動作が少なくなり、勉強や作業に集中できる。構造が簡単で特別な製造設備は必要なく、経済的に提供できる。
【図面の簡単な説明】
【０００７】
【図１】引出しを有する収容器の正面図
【図２】本考案の引出付収容器Ａ−Ａ断面図
【図３】本考案の引出しの斜視図
【図４】引出しの勾配とストッパーの幾何学的関係を示す図
【考案を実施するための形態】
【０００８】
本考案の基本は、従来の水平に引出す構造にあるが、引出しを引いて最終的に何度まで傾斜を保持出来るかにある。材質、加工精度、利用環境、使用条件により、全体の設計製作が行われる。基本的な寸法関係については図４の項で詳述の通り、特に引出の後面板高さｈ、最終ストッパー位置Ｌ、引出傾斜角αの幾何学的関係から容易に判断される。
【実施例】
【０００９】
図１は、収容器の大きさ、傾斜を有する引出しの段数、あるいは水平に引出す段を設けるか否か、異なった傾斜角を持たせた段を設けるか等用途によって決められる。尚把手は各種型式のものが実用化されており本図では省略した。
【００１０】
図２は本考案の傾斜を有する引出付収容器の一例として、従来の水平引出し２を底部に１段設け、傾斜用引出し３を上側に４段重ねて設け、５段構成にした例で示す。これらの段構成は任意に決められて良い。本考案の主題である傾斜を実現する傾斜用引出し３が引出されて傾斜角αを構成し、後面板４がストッパー７で抜け止めされている状態を示す。ストッパー７は角材を引出巾の１／３〜１／２程度にして引出付収容器の引出天井面８にネジ或は接着剤で固定される。傾斜用切欠部６が大き過ぎると引出傾斜角αは大きく取れるが後面板高さｈが低くなり収容上不具合が発生する。ストッパー７は引出差込高さＨより後面板高さｈを引いたＨ−ｈに設けられ低目が好ましい。このことによって傾斜用引出し３は水平引出し２と同じ操作で抜き差しが可能となる。本考案の基本的な構成要素である、引出傾斜角α、最終ストッパー位置Ｌ、および後面板高さｈの三要素の幾何学的関係について図４の項で詳述する。
【００１１】
図３に本考案の引出しを傾斜させるために必要な引出の後面板の切欠き状況を斜視図で示す。引出の後面板４は引出傾斜角αにより後面板高さｈと関連し側面板５とともに傾斜用切欠部６が構成される。切欠面Ｔは最終ストッパー位置Ｌにおいて引出天井面８に当てられ抜止め防止されると同時に後面板４の内側先端部がストッパー７で抜け止め防止される。
【００１２】
図４に、必要な傾斜を得るための幾何学的関係を示す。引出の後面板高さｈ、最終ストッパー位置Ｌ、引出傾斜角αにおいて希望する必要な項目を決めて三つの要素が決定される。計算上の
0003219772.tif 000003
これにより仮にＬ＝５ｃｍ、Ｈ＝５ｃｍ、ｈ＝２ｃｍをきめればα≒３０°が得られる。
【符号の説明】
【００１３】
１   引出付収容器
２   水平引出し
３   傾斜用引出し
４   後面板
５   側面板
６   傾斜用切欠部
７   ストッパー
８   引出天井面
９   前面板
１０ 底面板
Ｌ  最終ストッパー位置
α  引出傾斜角
ｈ  後面奥板高さ
Ｈ  引出差込段高さ
Ｓ  計算上の辺長
θ  計算上の幾何学的角度
Ｔ  切欠面
【図１】
0003219772.tif 000004
【図２】
0003219772.tif 000005
【図３】
0003219772.tif 000006
【図４】
0003219772.tif 000007
(57)【要約】      （修正有）【課題】上衣の裾部のずり上がりを防止することができる係止帯と下衣側との着脱が容易な上衣を提供する。【解決手段】上衣１は、内側の裾部に一端部５ａが設けられ、他端部５ｂに係合部６が設けられた係止帯５と、上衣の内側に設けられ、係合部６が係止可能な被係合部７と、を有し、係合部を被係合部から外した状態で、下衣９のベルト４の内側から係止帯５を通した状態で係合部を被係合部に係止する。【選択図】図１
0003219783.tif 000002
【実用新案登録請求の範囲】
【請求項１】
上衣の内側の裾部に一端部が設けられ、他端部に係合部が設けられた係止帯と、
前記上衣の内側に設けられ、前記係合部が係止可能な被係合部と、
を有し、
前記係合部を前記被係合部から外した状態で、下衣の係止部に前記係止帯を通した状態で前記係合部を前記被係合部に係止することを特徴とする上衣。
【請求項２】
前記裾部に帯部が設けられ、前記帯部の上部に前記係止帯の一端部が設けられていることを特徴とする請求項１に記載の上衣。
【請求項３】
前記被係合部は、前記係止帯の一端部の上部に設けられていることを特徴とする請求項１または請求項２に記載の上衣。
【請求項４】
前記係止帯は、伸縮性を有することを特徴とする請求項１〜３のいずれか１項に記載の上衣。
【請求項５】
前記係止帯は、前身頃の打合せ部分を挟んで左右一対に設けられていることを特徴とする請求項１〜４のいずれか１項に記載の上衣。
【請求項６】
前記上衣は、ファン付衣服であって、
前記上衣の内側に外気を導入するファンを有することを特徴とする請求項１〜５のいずれか１項に記載の上衣。
【請求項７】
前記係止部は、前記下衣のベルトであることを特徴とする請求項１〜６のいずれか１項に記載の上衣。
【考案の詳細な説明】
【技術分野】
【０００１】
本考案は、上衣に関するものである。
【背景技術】
【０００２】
一般に、上衣は肩を上げたときに裾部がずり上がってしまい、特に、裾部にゴムや帯を設けた上衣は、ずり上がったまま腹部で留まってしまうために着用者にストレスとなっている。特許文献１の上衣では、外気を導入するファンにより上衣の内側に空気を取り込むと、上衣が膨張し、取り込んだ空気が上衣の裾部から漏れ出るのを防止するためにベルトで締めたり、裾部に紐やゴム等の紐状部材を入れておき、着用後に紐状部材を縛ったり、金具などで留めることにより上衣の裾部を着用者の胴回りに密着させている。また、上衣の裾部の両側にゴム等の部材を取り付け、これらの部材の先端をベルトに引っ掛けることにより上衣の裾部がずり上がるのを防止している。
【先行技術文献】
【特許文献】
【０００３】
【特許文献１】国際公開第２００２／０６７７０８号公報
【考案の概要】
【考案が解決しようとする課題】
【０００４】
しかしながら、特許文献１では、上衣の裾部に設けられる係合部材と、下衣側のベルトやベルトループとの着脱を容易にした具体的な構成は記載されていないため上衣の裾部に設けられる係合部材と、下衣側との着脱が容易な上衣が望まれていた。
【０００５】
本考案は前記課題を解決するものであり、その目的とするところは、上衣の裾部に設けられる係止帯と、下衣のベルトとの着脱が容易な上衣を提供せんとするものである。
【課題を解決するための手段】
【０００６】
前記目的を達成するための本考案に係る上衣の代表的な構成は、上衣の内側の裾部に一端部が設けられ、他端部に係合部が設けられた係止帯と、前記上衣の内側に設けられ、前記係合部が係止可能な被係合部と、を有し、前記係合部を前記被係合部から外した状態で、下衣の係止部から前記係止帯を通した状態で前記係合部を前記被係合部に係止することを特徴とする。
【考案の効果】
【０００７】
本考案によれば、上衣の裾部に設けられる係止帯と、下衣側との着脱が容易に出来る。
【図面の簡単な説明】
【０００８】
【図１】本考案に係る上衣の裾部を外側から見た図である。
【図２】（ａ），（ｂ）は、本考案に係る上衣の裾部を内側から見た図である。
【図３】本考案に係る上衣をファン付衣服に適用した様子を示す側面図である。
【考案を実施するための形態】
【０００９】
図により本考案に係る上衣の一実施形態を具体的に説明する。
【００１０】
図１及び図２（ａ），（ｂ）に示すように、上衣１の内側の裾部には、帯部として内部にゴムが設けられたギャザー３が設けられ、ギャザー３の上部には、下衣９のベルト４を係止部としてベルト４に係止する係止帯５の一端部５ａが設けられている。係止帯５の長さは、下衣９のベルト４の幅に対応している。係止帯５の他端部５ｂには、係合部６が設けられている。下衣９としては、パンツやスカート等が適用できる。尚、ここでは係止部としてベルト４を挙げたが、下衣のベルトループを係止部としても良い。
【００１１】
図２（ａ）に示すように、上衣１の内側で係止帯５の一端部５ａの上部には、係合部６が係止可能な被係合部７が設けられている。係合部６と被係合部７とは、雄雌のホックでも良いし、雄雌の面ファスナでも良い。また、ボタンと、ボタンホールとの組み合わせでも良い。また、係合部６と被係合部７とは、上衣１の左右の前身頃の中央よりにそれぞれ１つずつ設けることが好ましい。尚、係止帯５の両端部にそれぞれ係合部６を設け、上衣１の内側に各係合部６が係止可能な被係合部７を取り付けても良い。
【００１２】
使用者が上衣１を着て、前身頃の打合せ部分に設けたファスナ８を締める前に、図２（ａ）に示す係止帯５のように、係止帯５の他端部５ｂに設けられた係合部６を被係合部７から外した状態で、図１及び図２（ｂ）及び図３に示すように、下衣９のベルト４の内側から係止帯５を通した状態で係止帯５の他端部５ｂに設けられた係合部６を被係合部７に係止する。
【００１３】
これにより上衣１の裾部に設けられる係止帯５と、下衣９のベルト４との着脱が容易にできる。係止帯５は、内部にゴムを設けるなどにより伸縮性を有することが好ましい。係止帯５が伸縮性を有することで取付け時の作業性が良い。また、上衣１が引っ張られた際の衝撃が緩和されるため着心地も良い。
【００１４】
図３に示す上衣１は、鉄工所や夏の屋外の工事現場などの高温環境下で作業する際に、体温の上昇を抑制するための作業服として用いるファン付衣服として適用した一例である。上衣１の背面側には、上衣１の内側に外気を導入するファン２が設けられている。ファン２は、上衣１を貫通する図示しない貫通穴に挿通して設けられる。
【００１５】
図２に示すように、外気を導入するファン２により上衣１の内側に空気を取り込むと、上衣１が膨張し、上衣１の裾部がずり上がろうとするが、上衣１の裾部に設けられる係止帯５が下衣９のベルト４に係止されているため上衣１の裾部のずり上がりを防止することができる。上衣１の具体例としては、ベスト、ジャンパー、防寒服、作業服、ファン付き衣服等にも適用できる。
【産業上の利用可能性】
【００１６】
本考案の活用例として、上衣に適用することができる。
【符号の説明】
【００１７】
１…上衣
２…ファン
３…ギャザー（帯部）
４…ベルト
５…係止帯
５ａ…一端部
５ｂ…他端部
６…係合部
７…被係合部
８…ファスナ
９…下衣
【図１】
0003219783.tif 000003
【図２】
0003219783.tif 000004
【図３】
0003219783.tif 000005
(57)【要約】      （修正有）【課題】身体に対する適正な位置に装着しやすく、ズレが生じ難い腹筋運動補助具を提供する。【解決手段】腹筋運動補助具は、使用者の上背部と後頭部の間に橋渡しするようにして装着する基板５と基板５中央の左右両側の基本ベルト２とで構成される。基本ベルト２の他に基板５の下部に補助ベルト１を設け、基本ベルト２と連結して使用することで身体に対する位置を適正に、安定して保てる。【選択図】図２
0003219751.tif 000002
【実用新案登録請求の範囲】
【請求項１】
使用者の上背部と後頭部との間に橋渡しするように装着する基板と基板中央の左右両側に設けたベルト（２）とで構成された腹筋運動補助具において、基板下部の左右に補助ベルト（１）を設け、上記中央左右両側のベルトと連結する構成を特徴とする腹筋運動補助具。
【請求項２】
補助ベルト（１）の長さを調節する留め具（４）を介してベルト（２）に連結することを特徴とする請求項１に記載の腹筋運動補助具。
【考案の詳細な説明】
【技術分野】
【０００１】  本考案は、腹筋運動を無理なく楽に行うための小型軽量で使いやすい腹筋運動補助具に関する。
【背景技術】
【０００２】  この種の腹筋運動補助具として、本出願人の提案に係る特許が公知である（特許文献１）。そこでは、基板と、基板中央の左右両側に設けたベルトとで構成されており、使用者がベルトを身体前方に引っ張ることで基板が上背部と後頭部に橋渡しするように装着されるので、首周りの緊張や力みが軽減された状態で、無理なく腹筋運動が出来る利点がある。【０００３】  しかし、特許文献１の腹筋運動補助具では腹筋運動中に上記基板の位置を肩の上にあるベルトのみで保持しているので、汗や衣類に因る滑り、ベンチやマットなどに基板が接触することによる滑り、ベルトの握り部分を必要以上に動かし過ぎることなどによりズレを生ずることがあり、特に頭部上方向へのズレを生じやすく、その都度適正な位置に調整し直す必要があった。【０００４】  本考案の腹筋運動補助具の身体に対する適正な位置とは、上記基板の上部が後頭部に、下部が上背部に接し、首の部分には接しないように、後頭部と上背部の間に橋渡しするように装着された位置であり、その位置では基板が後頭部に軽く接している状態なので余計な力が掛からない。
【先行技術文献】
【特許文献】
【０００５】
【特許文献１】特許第６３４９６００号
【考案の概要】
【考案が解決しようとする課題】
【０００６】  本考案は、身体に対する適正な位置に装着しやすく、使用中に適正な位置からズレ難くい腹筋運動補助具を提供することにある。
【課題を解決するための手段】
【０００７】  本考案は、特許文献１の腹筋運動補助具の下部の左右に補助ベルトを設けることで課題を解決するものである。そこで、以下の文章では図１に示す様に本考案のベルトを補助ベルト１とし、特許文献１に係る腹筋運動補助具に備えたベルトを基本ベルト２として、実際に腹筋運動補助具を装着した状態を想定して説明する。【０００８】  本考案の腹筋運動補助具は、基本ベルト２が肩に担がれる状態にして、補助ベルト１が腋の下を通って基本ベルト２に連結した状態で使用する。【０００９】  本考案における補助ベルト１の材質は、柔軟性のある布、皮革、合成皮革などを用いることができ、基本ベルト２を延長して基板下部に直接つないでも良いが、使用者の体格の違いやトレーニング内容の違いによって長さを調節する留め具を設けた構成であることが好ましく、留め具は基本ベルト２の握り部分３に取り付けることがより好ましい。留め具４はラダーロック、テープアジャスター、バックルなどを用いることができる。【００１０】  補助ベルト１の長さを短くすると頭部上方向のズレ幅が小さくなるが、身体を締め付けるまで短くすると基板が上背部下方向に下がり過ぎ、頭部側の安定が弱くなるので、ベルトは留め具による調節幅を持たせ、ゆとりのある長さが好ましい。【００１１】  補助ベルト１の張力によって基本ベルト２の握り部分３が容易に歪まないように、握り部分３の材質は硬い材質であることが好ましく、プラスチック、発泡樹脂、硬質ゴム、木材、軽量金属加工品などを用いることができ、形は棒状が好ましい。
【考案の効果】
【００１２】  本考案の腹筋運動補助具は、使用者が上記基板を適正な位置に装着しやすく、運動中のズレを抑制できるので、誤った使用方法を避けることができ、首周り、背中、腕などへの余計な緊張や負荷を抑制することできる。【００１３】  本考案の腹筋運動補助具は、基本ベルト２が肩に担がれた状態で、補助ベルト１が腋の下を通って基本ベルト２に連結した状態で使用されるため、基板が頭部側上方向にズレようとしても補助ベルトによって基板の動きが抑えられ、また、握り部分を頭上の方向へ動かし過ぎても補助ベルト１によって背側下方へ引っ張る力が働くので、ズレようとする動きが抑えられる。したがって、基板の身体に対する位置が頭部上方向にズレ難くなるため、位置が安定しやすくなる。【００１４】  腹筋運動の途中にインターバル（小休止）を入れながら続ける場合でも、本考案の腹筋運動補助具を背中に担いだままの状態にしておけるため、インターバル後に再装着する手間が掛からず、また、使用者の身体に対する適正な位置に安定させることができるため、誤った使用方法を避けることができる。
【図面の簡単な説明】
【００１５】
【図１】本考案を実施するための腹筋運動補助具の形態を示す斜視図である。
【図２】本考案の腹筋運動補助具を実際に装着して使用している時の身体との関係を示す図である。
【考案を実施するための形態】
【００１６】  本考案を実施するための形態を図１、図２を参照して説明する。
【実施例】
【００１７】  図１は、本考案実施例の斜視図であって、特許文献１に係る基板５と基板中央の左右に設けた基本ベルト２で構成されている腹筋運動補助具の、基板５の下部左右２か所に補助ベルト１を設け、その先端部はそれぞれ左右の基本ベルト２の握り部分３に設けたラダーロック４を介して連結する構成である。【００１８】  図２は、上記の腹筋運動補助具を使用している時の身体との関係を示し、補助ベルト１を腋の下にくぐらせラダーロック４を介して基本ベルト２に連結し、基板５の下部を上背部に、上部を後頭部に接しさせ、握り３を身体の前方に引っ張り、両者間に橋渡しするように装着している。
【符号の説明】
【００１９】  １  補助ベルト
２  基本ベルト
３  握り部分
４  ラダーロック
５  基板
【図１】
0003219751.tif 000003
【図２】
0003219751.tif 000004